(57)【要約】      （修正有）【課題】デザイン的に満足させるとともに、縫製糸による縫製線を必要最低限に抑え、肌の傷みを防止できる衣料用織編物生地を提供する。【解決手段】昇華性分散染料で生地の表面に模様を転写印刷した衣料用織編物生地１であって、転写印刷した模様は文字及び／又は図形６と縫製模様３ａ−３ｆと配色領域７ａ−７ｂ，８ａ−８ｂを含み、縫製模様は見掛け上別のパーツを縫製しているように見えるが縫製糸による縫製線はなく、裏面は印刷されていない。これにより、デザイン性を満足させるとともに、縫製糸による縫製線は必要最低限にできる衣料用織編物生地を提供でき、動きの激しいスポーツや、マラソンのように長時間の摩擦が繰り返されても肌を傷めることが軽減されるか、または肌を傷めることがない衣料を提供できる。【選択図】図１
0003185916.tif 000002
【実用新案登録請求の範囲】
【請求項１】
昇華性分散染料で生地の表面に模様を転写印刷した衣料用織編物生地であって、
前記転写印刷した模様は文字及び／又は図形と、縫製模様と、配色領域を含み、
前記縫製模様は、見掛け上別のパーツを縫製しているように見えるが縫製糸による縫製線はなく、
裏面は印刷されていないことを特徴とする衣料用織編物生地。
【請求項２】
前記別のパーツは、前記縫製模様を境に異なった色彩及び／又は異なった地模様である請求項１に記載の衣料用織編物生地。
【請求項３】
前記別のパーツは、前記縫製模様を境に同一の色彩及び／又は同一の地模様である請求項１に記載の衣料用織編物生地。
【請求項４】
前記縫製模様はステッチ刺繍模様である請求項１〜３のいずれか１項に記載の衣料用織編物生地。
【請求項５】
前記衣料はスポーツ用衣料である請求項１〜４のいずれか１項に記載の衣料用織編物生地。
【請求項６】
前記衣料はユニホームである請求項１〜５のいずれか１項に記載の衣料用織編物生地。
【考案の詳細な説明】
【技術分野】
【０００１】
本考案は、衣料用織編物生地に関する。さらに詳しくは、昇華転写による特定の模様を有し、縫製糸による縫製は必要最低限にできる衣料用織編物生地に関する。
【背景技術】
【０００２】
衣料は文字、図形などのマークを入れたり、別々の生地を縫い合わせてデザイン的に見映えを良くすることが行われている。特許文献１には基布の上に所定のマークを空けたマスキング紙（カバー紙）を配置し、カバー紙の上から前記マーク部に刺繍縫いをし、この上に昇華転写用紙をのせて昇華転写印刷し、カバー紙を剥ぐことにより、模様入り刺繍付きマークを得ることが提案されている。特許文献２には昇華転写印刷により、文字又は図形の直交する方向に線を入れて糸模様とすることが提案されている。
【先行技術文献】
【特許文献】
【０００３】
【特許文献１】特開２００５−２４８３７６号公報
【特許文献２】実用新案登録第３１６９８８３号公報
【考案の概要】
【考案が解決しようとする課題】
【０００４】
しかし、従来の衣料はデザイン的な制約もあり、各パーツは縫製により一体化しており、縫製線が必要以上に多く、この無駄な縫製線によって着用者の肌を傷める問題があった。
【０００５】
本考案は、上記従来の問題を解決するため、縫製模様と配色領域を昇華転写印刷により形成することにより、デザイン的に満足させるとともに、縫製糸による縫製線は必要最低限にできる衣料用織編物生地を提供する。
【課題を解決するための手段】
【０００６】
本考案の衣料用織編物生地は、昇華性分散染料で生地の表面に模様を転写印刷した衣料用織編物生地であって、前記転写印刷した模様は文字及び／又は図形と、縫製模様と、配色領域を含み、前記縫製模様は、見掛け上別のパーツを縫製しているように見えるが縫製糸による縫製線はなく、裏面は印刷されていないことを特徴とする。
【考案の効果】
【０００７】
本考案は、昇華性分散染料で生地の表面に模様を転写印刷し、前記転写印刷した模様は文字及び／又は図形と、縫製模様と、配色領域を含み、前記縫製模様は、見掛け上別のパーツを縫製しているように見えるが縫製糸による縫製線はなく、裏面は印刷されていないことにより、デザイン性を満足させるとともに、縫製糸による縫製線は必要最低限にできる衣料用織編物生地を提供できる。この結果、動きの激しいスポーツや、マラソンのように長時間の摩擦が繰り返されても肌を傷めることが軽減されるか、または肌を傷めることがない衣料を提供できる。
【図面の簡単な説明】
【０００８】
【図１】図１は本考案の一実施例のスポーツ衣料用織編物生地（前身頃）の平面図である。
【図２】図２は本考案の別の実施例のスポーツ衣料用織編物生地（前身頃）の平面図である。
【図３】図３は本考案のさらに別の実施例のスポーツ衣料用織編物生地（前身頃）の平面図である。
【図４】図４は本考案のさらに別の実施例のスポーツ衣料用織編物生地（前身頃）の平面図である。
【図５】図４の後見頃の織編物生地の平面図である。
【図６】図４の袖、襟などの織編物生地の平面図である。
【考案を実施するための形態】
【０００９】
本考案は、昇華性分散染料で生地の表面に模様を転写印刷した衣料用織編物生地である。昇華転写は、予め転写紙にインクジェットプリンターで昇華性分散染料を印刷しておき、この転写紙を生地の上にのせて加圧加熱、例えば１８０〜２００℃で、４０〜８０秒間加圧加熱することにより、所定の模様を転写する。インクジェットプリンターで印刷するので、少量生産や一品制作に好適である。
【００１０】
前記転写印刷した模様は文字及び／又は図形と縫製模様を含む。文字はチーム名、選手名、スポンサー名等であり、図形はチームのロゴマーク、スポンサーのロゴマーク、ボタンマーク等である。縫製模様はステッチ刺繍模様や千鳥縁かがリ縫いなど、いかなる縫製模様であっても良い。前記縫製模様は、見掛け上別のパーツを縫製しているように見えるが縫製糸による縫製線はなく、裏面は印刷されていない。これにより、好みの色調や地模様を入れることができ、デザイン性を満足させるとともに、縫製糸による縫製線は必要最低限にできる衣料用織編物生地を提供できる。
【００１１】
前記別のパーツは、前記縫製模様を境に異なった色彩及び／又は異なった地模様とすることもできるし、前記縫製模様を境に同一の色彩及び／又は同一の地模様とすることもできる。どちらも見掛け上別のパーツを縫製しているように見えるが縫製糸による縫製線はない例である。
【００１２】
前記縫製模様はステッチ刺繍模様であるのが好ましい。ステッチ刺繍模様は上品で商品的価値も高いものとなる。
【００１３】
前記衣料はスポーツ用衣料であることが好ましい。とくにユニホームに好適である。チームプレイのスポーツではユニホームを着用するのが一般的である。
【００１４】
本考案の織編物生地は、織物及び編み物を含む。織物は例えば平織、斜文織、朱子織など任意の組織を含む。編物は例えばタテ編、ヨコ又は丸編、両面編など任意の組織を含む。織物、編み物の好ましい目付は８０〜３００ｇ／ｍ2である。織編物生地の素材は、ポリエステル(PET)繊維が一般的である。ポリエステル繊維にはナイロン繊維、アクリル系繊維、コットン繊維、レーヨン繊維、その他の衣料用繊維などを混紡しても良い。あるいは生地の表面にポリエステル樹脂をコーティングしたものでもよい。ポリエステルは昇華性分散染料によって染色しやすいからである。
【実施例】
【００１５】
以下実施例により本考案をさらに具体的に説明する。なお、本考案は下記の実施例に限定されるものではない。
【００１６】
（実施例１）
図１は本考案の一実施例のスポーツ衣料用編物生地１の平面図であり、野球チーム用ユニホームの例である。このスポーツ衣料用編物生地１には前身頃２の昇華転写模様が印刷されている。昇華転写は、図１と対象にインクジェットプリンターで印刷されたデザインの転写紙を生地１の上にのせて加圧加熱、例えば１８０〜２００℃で、４０〜８０秒間加圧加熱することにより、所定の模様を転写した。３ａ〜３ｆはステッチ刺繍模様であり、ステッチ刺繍模様３ｃと３ｆによって分離されている領域７ａと８ａ、及び７ｂと８ｂは同一色彩でも異なった色彩でもよく、同一模様でも異なった模様でもよい。この例においては、３ａ〜３ｆは赤色のステッチ刺繍模様であり、ステッチ刺繍模様３ｃと３ｆによって分離されている領域７ａと８ａ及び領域７ｂと８ｂはともに濃紺を配色した。
【００１７】
他の印刷模様として、赤色のラインテープ模様４ａ，４ｂと、薄青色のボタン模様５ａ〜５ｅ、及びチーム名マーク６も形成した。チーム名マーク６は影を付けた立体模様とした。このようにして前身頃２に相当する後見頃も同様に印刷しておき、肩部、脇部を縫製により一体化し、首部、裾部を折り返して縫製する。袖脇部には袖を縫い付ける。必要により襟を縫い付けても良い。これにより野球用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【００１８】
（実施例２）
図２は本考案の別の実施例のスポーツ衣料用編物生地１１の平面図であり、サッカーチーム用ユニホームの例である。このスポーツ衣料用編物生地１１には前身頃１２の昇華転写模様が印刷されている。この例においては、地模様はストライプ柄１４ａ（中色の灰色）と１４ｂ（淡い灰色）の繰り返しで形成され、脇部１５ａ，１５ｂはストライプ柄１４ａ（中色の灰色）と同一の色彩を配色した。１３ａ〜１３ｆは青色のステッチ刺繍模様である。ステッチ刺繍模様１３ａと１３ｂによって分離されている領域１６ａ及び対象位置にある領域１６ｂには黒色を配置した。
【００１９】
他の印刷模様として、チームのロゴマーク１７（青色と黒色）とチーム名マーク１８（青色で白の縁取り）と胸番号１９（青色で白の縁取り）を入れた。このようにして前身頃１２に相当する後見頃も同様に印刷しておき、肩部、脇部を縫製により一体化し、首部、裾部を折り返して縫製する。袖脇部には袖を縫い付ける。必要により襟を縫い付けても良い。これによりサッカー用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【００２０】
（実施例３）
図３は本考案の別の実施例のスポーツ衣料用編物生地２１の平面図であり、バレーボールチーム用ユニホームの例である。このスポーツ衣料用編物生地２１には前身頃２２の昇華転写模様が印刷されている。この例においては、２３ａ〜２３ｈは金色のステッチ刺繍模様であり、各ステッチ刺繍模様によって分離されている領域２４ａ，２４ｂ，２４ｄ，２４ｇ，２４ｉは黒色とし、領域２４ｃ，２４ｅ，２４ｆ，２４ｈは赤色を配置した。
【００２１】
他の印刷模様として、チーム名マーク２５（赤色で金色の縁取り）と胸番号２６（赤色で金色の縁取り）を入れた。このようにして前身頃２２に相当する後見頃も同様に印刷しておき、肩部、脇部を縫製により一体化し、首部、裾部を折り返して縫製する。袖脇部には袖を縫い付ける。必要により襟を縫い付けても良い。これによりバレーボール用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【００２２】
（実施例４）
図４は本考案の別の実施例のスポーツ衣料用生地３１の平面図であり、ラグビーチーム用ユニホームの例である。このスポーツ衣料用生地３１には前身頃３２の昇華転写模様が印刷されている。この例においては、３３ａ〜３３ｆは濃紺色のステッチ刺繍模様であり、各ステッチ刺繍模様によって分離されている領域３４ａ〜３４ｃはこげ茶色、領域３５ａ〜３５ｄは多色ジャガード編み物調模様である。他の印刷模様として、チームのロゴマーク３６（黄色）を入れた。生地はポリエステル(PET)仮撚加工糸使いのニット（目付１５８ｇ／ｍ2）である。
【００２３】
図５は図４の後見頃４２のニット生地４１の平面図である。このデザインも昇華転写により印刷した。この例においては、４３ａ〜４３ｆは濃紺色のステッチ刺繍模様であり、各ステッチ刺繍模様によって分離されている領域４４ａ〜４４ｃはこげ茶色である。加えて、背番号４５（白色で濃紺色の縁取り）を入れた。
【００２４】
図６は図４〜５の付属部品のニット生地５１の平面図である。このデザインも昇華転写により印刷した。この織物生地５１には袖５２と襟５３，５４が印刷されている。
【００２５】
図４〜６に示す前身頃３２と後見頃４２の肩部、脇部を縫製により一体化し、首部、裾部を折り返して縫製する。袖脇部には袖５２を縫い付け、襟５３，５４を縫い付ける。これによりラグビーチーム用ユニホームが形成できる。このユニホームは必要最低限の縫製で仕上げられるので、縫製箇所は少なく、激しい動きによる肌の傷みの発生を防止できる。
【符号の説明】
【００２６】
１  スポーツ衣料用織編物生地
２  前身頃
３ａ〜３ｆ  ステッチ刺繍模様
７ａ，７ｂ，８ａ，８ｂ  配色領域
４ａ，４ｂ  ラインテープ模様
５ａ〜５ｅ  ボタン模様
６  チーム名マーク
【図１】
0003185916.tif 000003
【図２】
0003185916.tif 000004
【図３】
0003185916.tif 000005
【図４】
0003185916.tif 000006
【図５】
0003185916.tif 000007
【図６】
0003185916.tif 000008
【手続補正書】
【提出日】平成25年5月9日(2013.5.9)
【手続補正１】
【補正対象書類名】明細書
【補正対象項目名】０００８
【補正方法】変更
【補正の内容】
【０００８】
【図１】図１は本考案の一実施例のスポーツ衣料用織編物生地（前身頃）の平面図である。
【図２】図２は本考案の別の実施例のスポーツ衣料用織編物生地（前身頃）の平面図である。
【図３】図３は本考案のさらに別の実施例のスポーツ衣料用織編物生地（前身頃）の平面図である。
【図４】図４は本考案のさらに別の実施例のスポーツ衣料用織編物生地（前身頃）の平面図である。
【図５】図４の後身頃の織編物生地の平面図である。
【図６】図４の袖、襟などの織編物生地の平面図である。
【手続補正２】
【補正対象書類名】明細書
【補正対象項目名】００１７
【補正方法】変更
【補正の内容】
【００１７】
他の印刷模様として、赤色のラインテープ模様４ａ，４ｂと、薄青色のボタン模様５ａ〜５ｅ、及びチーム名マーク６も形成した。チーム名マーク６は影を付けた立体模様とした。このようにして前身頃２に相当する後身頃も同様に印刷しておき、肩部、脇部を縫製により一体化し、首部、裾部を折り返して縫製する。袖脇部には袖を縫い付ける。必要により襟を縫い付けても良い。これにより野球用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【手続補正３】
【補正対象書類名】明細書
【補正対象項目名】００１９
【補正方法】変更
【補正の内容】
【００１９】
他の印刷模様として、チームのロゴマーク１７（青色と黒色）とチーム名マーク１８（青色で白の縁取り）と胸番号１９（青色で白の縁取り）を入れた。このようにして前身頃１２に相当する後身頃も同様に印刷しておき、肩部、脇部を縫製により一体化し、首部、裾部を折り返して縫製する。袖脇部には袖を縫い付ける。必要により襟を縫い付けても良い。これによりサッカー用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【手続補正４】
【補正対象書類名】明細書
【補正対象項目名】００２１
【補正方法】変更
【補正の内容】
【００２１】
他の印刷模様として、チーム名マーク２５（赤色で金色の縁取り）と胸番号２６（赤色で金色の縁取り）を入れた。このようにして前身頃２２に相当する後身頃も同様に印刷しておき、肩部、脇部を縫製により一体化し、首部、裾部を折り返して縫製する。袖脇部には袖を縫い付ける。必要により襟を縫い付けても良い。これによりバレーボール用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【手続補正５】
【補正対象書類名】明細書
【補正対象項目名】００２３
【補正方法】変更
【補正の内容】
【００２３】
図５は図４の後身頃４２のニット生地４１の平面図である。このデザインも昇華転写により印刷した。この例においては、４３ａ〜４３ｆは濃紺色のステッチ刺繍模様であり、各ステッチ刺繍模様によって分離されている領域４４ａ〜４４ｃはこげ茶色である。加えて、背番号４５（白色で濃紺色の縁取り）を入れた。
【手続補正６】
【補正対象書類名】明細書
【補正対象項目名】００２５
【補正方法】変更
【補正の内容】
【００２５】
図４〜６に示す前身頃３２と後身頃４２の肩部、脇部を縫製により一体化し、首部、裾部を折り返して縫製する。袖脇部には袖５２を縫い付け、襟５３，５４を縫い付ける。これによりラグビーチーム用ユニホームが形成できる。このユニホームは必要最低限の縫製で仕上げられるので、縫製箇所は少なく、激しい動きによる肌の傷みの発生を防止できる。
【手続補正書】
【提出日】平成25年7月8日(2013.7.8)
【手続補正１】
【補正対象書類名】実用新案登録請求の範囲
【補正対象項目名】全文
【補正方法】変更
【補正の内容】
【実用新案登録請求の範囲】
【請求項１】
昇華性分散染料で生地の表面に模様を転写印刷したユニホーム用織編物生地であって、
前記転写印刷した模様は文字及び／又は図形と、縫製模様と、配色領域を含み、
前記文字及び／又は図形は、少なくとも前身頃の胸部となる位置に配置され、
前記縫製模様は前身頃と後身頃の境界部分又は前身頃と脇部との境界部分となる位置に配置され、
前記配色領域は縫製模様を境にして異色又は同一色で配置されており、
前記縫製模様は縫製しているように見えるが縫製糸による縫製線はなく、
裏面は印刷されていないことを特徴とするユニホーム用織編物生地。
【請求項２】
前記縫製模様はステッチ刺繍模様である請求項１に記載のユニホーム用織編物生地。
【請求項３】
前記ユニホームはスポーツ用ユニホームである請求項１又は２に記載のユニホーム用織編物生地。
【手続補正２】
【補正対象書類名】明細書
【補正対象項目名】全文
【補正方法】変更
【補正の内容】
【考案の詳細な説明】
【技術分野】
【０００１】
本考案は、ユニホーム用織編物生地に関する。さらに詳しくは、昇華転写による特定の模様を有し、縫製糸による縫製は必要最低限にできるユニホーム用織編物生地に関する。
【背景技術】
【０００２】
ユニホームは文字、図形などのマークを入れたり、別々の生地を縫い合わせてデザイン的に見映えを良くすることが行われている。特許文献１には基布の上に所定のマークを空けたマスキング紙（カバー紙）を配置し、カバー紙の上から前記マーク部に刺繍縫いをし、この上に昇華転写用紙をのせて昇華転写印刷し、カバー紙を剥ぐことにより、模様入り刺繍付きマークを得ることが提案されている。特許文献２には昇華転写印刷により、文字又は図形の直交する方向に線を入れて糸模様とすることが提案されている。
【先行技術文献】
【特許文献】
【０００３】
【特許文献１】特開２００５−２４８３７６号公報
【特許文献２】実用新案登録第３１６９８８３号公報
【考案の概要】
【考案が解決しようとする課題】
【０００４】
しかし、従来のユニホームはデザイン的な制約もあり、各パーツは縫製により一体化しており、縫製線が必要以上に多く、この無駄な縫製線によって着用者の肌を傷める問題があった。
【０００５】
本考案は、上記従来の問題を解決するため、縫製模様と配色領域を昇華転写印刷により形成することにより、デザイン的に満足させるとともに、縫製糸による縫製線は必要最低限にできるユニホーム用織編物生地を提供する。
【課題を解決するための手段】
【０００６】
本考案のユニホーム用織編物生地は、昇華性分散染料で生地の表面に模様を転写印刷したユニホーム用織編物生地であって、前記転写印刷した模様は文字及び／又は図形と、縫製模様と、配色領域を含み、前記文字及び／又は図形は、少なくとも前身頃の胸部となる位置に配置され、前記縫製模様は前身頃と後身頃の境界部分又は前身頃と脇部との境界部分となる位置に配置され、前記配色領域は縫製模様を境にして異色又は同一色で配置されており、前記縫製模様は縫製しているように見えるが縫製糸による縫製線はなく、裏面は印刷されていないことを特徴とする。
【考案の効果】
【０００７】
本考案は、昇華性分散染料で生地の表面に模様を転写印刷し、前記転写印刷した模様は文字及び／又は図形と、縫製模様と、配色領域を含み、前記文字及び／又は図形は、少なくとも前身頃の胸部となる位置に配置され、前記縫製模様は前身頃と後身頃の境界部分又は前身頃と脇部との境界部分となる位置に配置され、前記配色領域は縫製模様を境にして異色又は同一色で配置されており、前記縫製模様は縫製しているように見えるが縫製糸による縫製線はなく、裏面は印刷されていないことにより、デザイン性を満足させるとともに、縫製糸による縫製線は必要最低限にできるユニホーム用織編物生地を提供できる。この結果、動きの激しいスポーツや、マラソンのように長時間の摩擦が繰り返されても肌を傷めることが軽減されるか、または肌を傷めることがないユニホームを提供できる。
【図面の簡単な説明】
【０００８】
【図１】図１は本考案の一実施例のスポーツユニホーム用織編物生地（前身頃）の平面図である。
【図２】図２は本考案の別の実施例のスポーツユニホーム用織編物生地（前身頃）の平面図である。
【図３】図３は本考案のさらに別の実施例のスポーツユニホーム用織編物生地（前身頃）の平面図である。
【図４】図４は本考案のさらに別の実施例のスポーツユニホーム用織編物生地（前身頃）の平面図である。
【図５】図４の後身頃の織編物生地の平面図である。
【図６】図４の袖、襟などの織編物生地の平面図である。
【考案を実施するための形態】
【０００９】
本考案は、昇華性分散染料で生地の表面に模様を転写印刷したユニホーム用織編物生地である。昇華転写は、予め転写紙にインクジェットプリンターで昇華性分散染料を印刷しておき、この転写紙を生地の上にのせて加圧加熱、例えば１８０〜２００℃で、４０〜８０秒間加圧加熱することにより、所定の模様を転写する。インクジェットプリンターで印刷するので、少量生産や一品制作に好適である。
【００１０】
前記転写印刷した模様は文字及び／又は図形と縫製模様を含む。文字はチーム名、選手名、スポンサー名等であり、図形はチームのロゴマーク、スポンサーのロゴマーク、ボタンマーク等である。縫製模様はステッチ刺繍模様や千鳥縁かがリ縫いなど、いかなる縫製模様であっても良い。前記縫製模様は、見掛け上別のパーツを縫製しているように見えるが縫製糸による縫製線はなく、裏面は印刷されていない。これにより、好みの色調や地模様を入れることができ、デザイン性を満足させるとともに、縫製糸による縫製線は必要最低限にできるユニホーム用織編物生地を提供できる。
【００１１】
前記別のパーツは、前記縫製模様を境に異なった色彩及び／又は異なった地模様とすることもできるし、前記縫製模様を境に同一の色彩及び／又は同一の地模様とすることもできる。どちらも見掛け上別のパーツを縫製しているように見えるが縫製糸による縫製線はない例である。
【００１２】
前記縫製模様はステッチ刺繍模様であるのが好ましい。ステッチ刺繍模様は上品で商品的価値も高いものとなる。
【００１３】
前記ユニホーム用織編物生地はスポーツ用であることが好ましい。チームプレイのスポーツではユニホームを着用するのが一般的である。
【００１４】
本考案の織編物生地は、織物及び編み物を含む。織物は例えば平織、斜文織、朱子織など任意の組織を含む。編物は例えばタテ編、ヨコ又は丸編、両面編など任意の組織を含む。織物、編み物の好ましい目付は８０〜３００ｇ／ｍ2である。織編物生地の素材は、ポリエステル(PET)繊維が一般的である。ポリエステル繊維にはナイロン繊維、アクリル系繊維、コットン繊維、レーヨン繊維、その他の衣料用繊維などを混紡しても良い。あるいは生地の表面にポリエステル樹脂をコーティングしたものでもよい。ポリエステルは昇華性分散染料によって染色しやすいからである。
【実施例】
【００１５】
以下実施例により本考案をさらに具体的に説明する。なお、本考案は下記の実施例に限定されるものではない。
【００１６】
（実施例１）
図１は本考案の一実施例のスポーツユニホーム用編物生地１の平面図であり、野球チーム用ユニホームの例である。この編物生地１には前身頃２の昇華転写模様が印刷されている。昇華転写は、図１と対象にインクジェットプリンターで印刷されたデザインの転写紙を生地１の上にのせて加圧加熱、例えば１８０〜２００℃で、４０〜８０秒間加圧加熱することにより、所定の模様を転写した。３ａ〜３ｆはステッチ刺繍模様であり、ステッチ刺繍模様３ｃと３ｆによって分離されている領域７ａと８ａ、及び７ｂと８ｂは同一色彩でも異なった色彩でもよく、同一模様でも異なった模様でもよい。この例においては、３ａ〜３ｆは赤色のステッチ刺繍模様であり、ステッチ刺繍模様３ｃと３ｆによって分離されている領域７ａと８ａ及び領域７ｂと８ｂはともに濃紺を配色した。
【００１７】
他の印刷模様として、赤色のラインテープ模様４ａ，４ｂと、薄青色のボタン模様５ａ〜５ｅ、及びチーム名マーク６も形成した。チーム名マーク６は影を付けた立体模様とした。このようにして前身頃２に相当する後身頃も同様に印刷しておき、肩部、脇部を縫製により一体化し、首部、裾部を折り返して縫製する。袖脇部には袖を縫い付ける。必要により襟を縫い付けても良い。これにより野球用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【００１８】
（実施例２）
図２は本考案の別の実施例のスポーツユニホーム用編物生地１１の平面図であり、サッカーチーム用ユニホームの例である。この編物生地１１には前身頃１２の昇華転写模様が印刷されている。この例においては、地模様はストライプ柄１４ａ（中色の灰色）と１４ｂ（淡い灰色）の繰り返しで形成され、脇部１５ａ，１５ｂはストライプ柄１４ａ（中色の灰色）と同一の色彩を配色した。１３ａ〜１３ｆは青色のステッチ刺繍模様である。ステッチ刺繍模様１３ａと１３ｂによって分離されている領域１６ａ及び対象位置にある領域１６ｂには黒色を配置した。
【００１９】
他の印刷模様として、チームのロゴマーク１７（青色と黒色）とチーム名マーク１８（青色で白の縁取り）と胸番号１９（青色で白の縁取り）を入れた。このようにして前身頃１２に相当する後身頃も同様に印刷しておき、肩部、脇部を縫製により一体化し、首部、裾部を折り返して縫製する。袖脇部には袖を縫い付ける。必要により襟を縫い付けても良い。これによりサッカー用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【００２０】
（実施例３）
図３は本考案の別の実施例のスポーツユニホーム用編物生地２１の平面図であり、バレーボールチーム用ユニホームの例である。この編物生地２１には前身頃２２の昇華転写模様が印刷されている。この例においては、２３ａ〜２３ｈは金色のステッチ刺繍模様であり、各ステッチ刺繍模様によって分離されている領域２４ａ，２４ｂ，２４ｄ，２４ｇ，２４ｉは黒色とし、領域２４ｃ，２４ｅ，２４ｆ，２４ｈは赤色を配置した。
【００２１】
他の印刷模様として、チーム名マーク２５（赤色で金色の縁取り）と胸番号２６（赤色で金色の縁取り）を入れた。このようにして前身頃２２に相当する後身頃も同様に印刷しておき、肩部、脇部を縫製により一体化し、首部、裾部を折り返して縫製する。袖脇部には袖を縫い付ける。必要により襟を縫い付けても良い。これによりバレーボール用ユニホームが形成できる。このユニホームは必要最低限の縫製で仕上げられるので、縫製箇所は少なく、激しい動きによる肌の傷みの発生を防止できる。なお、生地はポリエステル(PET)仮撚加工糸使いのニット（目付１６０ｇ／ｍ2）である。
【００２２】
（実施例４）
図４は本考案の別の実施例のスポーツユニホーム用生地３１の平面図であり、ラグビーチーム用ユニホームの例である。このスポーツユニホーム用生地３１には前身頃３２の昇華転写模様が印刷されている。この例においては、３３ａ〜３３ｆは濃紺色のステッチ刺繍模様であり、各ステッチ刺繍模様によって分離されている領域３４ａ〜３４ｃはこげ茶色、領域３５ａ〜３５ｄは多色ジャガード編み物調模様である。他の印刷模様として、チームのロゴマーク３６（黄色）を入れた。生地はポリエステル(PET)仮撚加工糸使いのニット（目付１５８ｇ／ｍ2）である。
【００２３】
図５は図４の後身頃４２のニット生地４１の平面図である。このデザインも昇華転写により印刷した。この例においては、４３ａ〜４３ｆは濃紺色のステッチ刺繍模様であり、各ステッチ刺繍模様によって分離されている領域４４ａ〜４４ｃはこげ茶色である。加えて、背番号４５（白色で濃紺色の縁取り）を入れた。
【００２４】
図６は図４〜５の付属部品のニット生地５１の平面図である。このデザインも昇華転写により印刷した。この織物生地５１には袖５２と襟５３，５４が印刷されている。
【００２５】
図４〜６に示す前身頃３２と後身頃４２の肩部、脇部を縫製により一体化し、首部、裾部を折り返して縫製する。袖脇部には袖５２を縫い付け、襟５３，５４を縫い付ける。これによりラグビーチーム用ユニホームが形成できる。このユニホームは必要最低限の縫製で仕上げられるので、縫製箇所は少なく、激しい動きによる肌の傷みの発生を防止できる。
【符号の説明】
【００２６】
１  スポーツユニホーム用織編物生地
２  前身頃
３ａ〜３ｆ  ステッチ刺繍模様
７ａ，７ｂ，８ａ，８ｂ  配色領域
４ａ，４ｂ  ラインテープ模様
５ａ〜５ｅ  ボタン模様
６  チーム名マーク